(57)【特許請求の範囲】
【請求項１】
車両周辺の撮影画像および自車両の画像を表示装置に表示させる表示制御手段と、
操作者の操作により、複数の自車両の形態について選択的に入力設定可能な操作スイッチと、
自車両を上方から見た当該自車両全体の画像を前記操作スイッチにより入力された自車両の形態についての情報に基づき生成する画像生成手段と、
を備え、
前記表示制御手段は、前記画像生成手段により生成された自車両全体の画像を当該自車両周辺の撮影画像に重ねて前記表示装置に表示することを特徴とする車両周辺表示制御装置。
【請求項２】
前記自車の形態は、自車両の車種の情報を含むことを特徴とする請求項１に記載の車両周辺表示制御装置。
【請求項３】
前記自車の形態は、自車両の全長および全幅を特定する情報を含むことを特徴とする請求項１または２に記載の車両周辺表示制御装置。
【請求項４】
前記自車の形態は、前記表示制御手段が表示させる前記撮影画像の表示縮尺に比べて、自車両の画像の表示縮尺を大きくするか否の情報を含むことを特徴とする請求項２または３のいずれか１つに記載の車両周辺表示制御装置。
【請求項５】
前記画像生成手段が生成する自車両の画像は、ドアを開いた場合の自車両の画像、およびドアを閉じた場合の自車両の画像の双方であり、 前記表示制御手段は、駐車時には前記ドアを開いた場合の自車両の画像を表示することを特徴とする請求項１ないし４のいずれか１つに記載の車両周辺表示制御装置。
【請求項６】
前記画像生成手段が生成する自車両の画像は、ドアを開いた場合の自車両の画像、およびドアを閉じた場合の自車両の画像の双方であり、 前記表示制御手段は、自車両の乗員の所定の操作に基づいて、前記ドアを開いた場合の自車両の画像を表示することを特徴とする請求項１ないし５のいずれか１つに記載の車両周辺表示制御装置。
【発明の詳細な説明】
【技術分野】
【０００１】
本発明は、撮影された車両周辺の画像と自車両の画像とを、表示装置に表示させる車両周辺表示制御装置に関する。
【背景技術】
【０００２】
従来、このような車両周辺表示制御装置がある（例えば特許文献１、２、３参照）。
【特許文献１】特開２００２−８７１６０号公報
【特許文献２】特開２００２−１２０６７５号公報
【特許文献３】特開２００２−３２１５８０号公報
【発明の開示】
【発明が解決しようとする課題】
【０００３】
しかし、このような車両周辺表示制御装置において、表示させる自車両の画像を実際の自車両の大きさ、形状、ユーザの運転能力等と関係付けて変化させる技術は開示されていない。
【０００４】
本発明は上記点に鑑み、撮影された車両周辺の画像と自車両の画像とを表示装置に表示させる車両周辺表示制御装置において、表示させる自車両の画像の変更を可能とすることを目的とする。
【課題を解決するための手段】
【０００５】
上記目的を達成するための請求項１に記載の発明は、車両周辺の撮影画像および自車両の画像を表示装置に表示させる表示制御手段と、操作者の操作により、複数の自車両の形態について選択的に入力設定可能な操作スイッチと、自車両を上方から見た当該自車両全体の画像を前記操作スイッチにより入力された自車両の形態についての情報に基づき生成する画像生成手段と、を備え、前記表示制御手段は、前記画像生成手段により生成された自車両全体の画像を当該自車両周辺の撮影画像に重ねて前記表示装置に表示することを特徴とする車両周辺表示制御装置である。
【０００６】
これによって、撮影された車両周辺の画像と自車両の画像とを表示装置に表示させる車両周辺表示制御装置において、設定受付手段が受け付けた設定に基づいて、表示させる自車両の画像を変更可能とすることができる。
【０００７】
また、請求項２に記載の発明は、請求項１に記載の車両周辺表示制御装置において、前記自車の形態は、自車両の車種の情報を含むことを特徴とする。
【０００８】
これによって、自車両の車種毎に変化する形態に基づいて、表示する車両の画像を変化させることができる。
【０００９】
また、請求項３に記載の発明は、請求項１または２に記載の車両周辺表示制御装置において、前記自車の形態は、自車両の全長および全幅を特定する情報を含むことを特徴とする。
【００１０】
また、請求項４に記載の発明は、請求項２または３のいずれか１つに記載の車両周辺表
示制御装置において、前記自車の形態は、前記表示制御手段が表
示させる前記撮影画像の表示縮尺に比べて、自車両の画像の表示縮尺を大きくするか否の
情報を含むことを特徴とする。
【００１１】
これによって、例えばドライバーが運転に自信が無い場合等には、表示装置に表示させる自車両の画像を拡大する設定をすることができるようになる。
【００１２】
また、請求項５に記載の発明は、請求項１ないし４のいずれか１つに記載の車両周辺表
示制御装置において、前記画像生成手段が生成する自車両の画像は、ドアを開いた場合の
自車両の画像、およびドアを閉じた場合の自車両の画像の双方であり、前記表示制御手段
は、駐車時には前記ドアを開いた場合の自車両の画像を表示することを特徴とする。
【００１３】
これによって、車両の駐車時にはドアが開いた場合の車両が表示されるので、ドライバーは、ドアの開放スペースを一目で判断することができる。
【００１４】
なお、「駐車時には」とは、「少なくとも駐車時には」という意味であって、駐車時以外においてもドアを開いた場合の自車両の画像を表示させるようになっているといないとに関わらない概念である。
【００１５】
また、請求項６に記載の発明は、請求項１ないし５のいずれか１つに記載の車両周辺表
示制御装置において、前記画像生成手段が生成する自車両の画像は、ドアを開いた場合の
自車両の画像、およびドアを閉じた場合の自車両の画像の双方であり、前記表示制御手段
は、自車両の乗員の所定の操作に基づいて、前記ドアを開いた場合の自車両の画像を表示
することを特徴とする。
【００１６】
これによって、ドライバーの選択に基づいて、ドアが開いた場合の車両が表示されるので、ドライバーは、ドアの開放スペースを一目で判断することができる。
【発明を実施するための最良の形態】
【００１７】
以下に、本発明を適用した車両周辺表示装置の一実施形態を説明する。本実施形態の基本的なシステム構成を図１に示す。車両周辺表示装置１は、車両ｃの後部に配置されたカメラ２（例えばＣＣＤカメラ）および画像取り込み装置７と、車内のダッシュボード等に配置された表示装置である車載モニタ３（例えば液晶ディスプレイ）と、画像処理を行う画像処理ユニット５と、車両周辺表示装置１の電源のオン／オフ等の切り替え入力を行うことのできる操作スイッチ群６を備えている。
【００１８】
図２に、画像処理ユニット５の当該車両ｃに搭載された装置との入出力関係をブロック図として示す。
【００１９】
カメラ２は、車両後方の映像を電気信号に変換して画像取り込み装置7に出力する。
【００２０】
画像取り込み装置７は、カメラ２から入力された信号をデジタル画像データにし、一定時間間隔で画像処理ユニット５にこの撮影画像データを出力する。
【００２１】
シフト位置センサ１０は、車両のシフト位置、あるいは車両のドライブレンジ（Ｌ、Ｄ、Ｒ、Ｎ、Ｐ等）の状態を検知し、それぞれの状態に基づいた信号を画像処理ユニット５に出力する。
【００２２】
画像処理ユニット５は、ＥＣＵを主要部とする画像データの処理を行う装置である。この画像処理ユニット５は、図示しないＣＰＵ、ＲＡＭ、ＲＯＭ、およびフラッシュメモリを有している。
【００２３】
このＲＯＭには、このＣＰＵが実行するためのプログラム、および車両形態情報テーブル等の情報があらかじめ記憶されている。車両形態情報テーブルは、車種毎に設けられるエントリを複数有するデータである。各エントリは車種名、当該車種の全長、全幅、ドアの長さ、ドアの取り付け位置、ドアの最大開き角度、および当該車種についての他の詳細な形態情報を要素として有する。他の詳細な形態情報とは、例えば当該車種のガラス、ヘッドライト、ドアミラー等の車両パーツの配置および形状、当該車種の車両タイプ（セダン、ワゴン、ミニバン、２ボックス、ＳＵＶ等）がある。
【００２４】
このＣＰＵは、ＲＯＭから所定のプログラムを読み出して実行することで動作し、その動作の必要に応じてＲＯＭ、ＲＡＭ、フラッシュメモリから情報を読み出し、またＲＡＭ、フラッシュメモリに対して情報を書き込む。またこのＣＰＵは、その動作中に操作スイッチ群６、画像取り込み装置７、およびシフト位置センサ１０から信号の入力を受け、また必要に応じて車載モニタ３に信号を出力する。なお、以下においては、上記ＣＰＵによる処理を、画像処理ユニット５による処理であるとして説明する。
【００２５】
本実施形態における画像処理ユニット５は、後述する様に、撮影された車両周辺の画像と自車両の画像とを車載モニタ３に表示させる車両周辺表示制御装置として機能する。そして、この画像処理ユニット５は、車載モニタ３に表示させる車両の画像を特定するための設定プログラムを実行する。この設定プログラムは、例えば画像処理ユニット５の車両ｃへの取り付け時、車両ｃのユーザが設定を修正したい時等に、設定を行う者が、操作スイッチ群６に対して所定の操作を行うことで起動する。
【００２６】
図３に、この設定プログラムのフローチャートを示す。まずステップ３１０では、車種情報が既知であるか否かを判定する。車種情報とは、画像処理ユニット５が搭載されている車両ｃの車種名をいう。車種情報が既知であるとは、画像処理ユニット５のＲＯＭ、フラッシュメモリの所定の領域に、車両ｃの車種名を特定する情報が含まれていることをいう。車種情報が既知であれば処理はステップ３８０に進み、既知でなければ処理はステップ３２０に進む。
【００２７】
ステップ３２０では、車種選択画面を生成する。具体的には、車両ｃの車種を特定するための入力を設定者に促すための画面表示を、車載モニタ３に行わせる。これによって表示される画面は、画像処理ユニット５のＲＯＭが記憶している車両形態情報テーブルの各エントリに含まれている全車種名のリスト表示を含んでいる。そしてこの表示を行った後、車種の特定についての設定者による操作スイッチ群６を用いた入力を待つ。
【００２８】
車両ｃの車種の特定についての入力があると、処理はステップ３３０に進み、該当車種があるか否かを判定する。具体的には、ステップ３２０で受け付けた車種の特定についての入力が、当該リスト表示中の車種のいずれか１つを特定するものであるか、あるいは当該リスト表示中の車種のいずれにも該当しないことを示すものであるかを判定する。該当車種があれば処理はステップ３８０に進み、無ければ処理はステップ３４０に進む。
【００２９】
ステップ３４０では、車両ｃのタイプ、全長、全幅、ドアの長さ、ドアの取り付け位置、ドアの最大開き角度等の車両ｃの形態を特定する情報の入力画面を生成する。具体的には、車両ｃの形態を特定する情報の入力を設定者に促すための画面表示を、車載モニタ３に行わせる。そしてこの表示を行った後、これらの情報についての設定者による操作スイッチ群６を用いた入力を待つ。
【００３０】
上記した入力があると、処理はステップ３５０に進み、入力されたデータを受け付ける。具体的には、入力された車両ｃのタイプ、全長、全幅、ドアの長さ、ドアの取り付け位置、ドアの最大開き角度等の情報を画像処理ユニット５のＲＡＭの所定の領域に記憶させる。そして処理はステップ３８０に進む。
【００３１】
ステップ３８０では、自車両の画像を生成し、生成した画像を画像処理ユニット５のフラッシュメモリに保存する。この自車両の画像の生成は、あらかじめＲＯＭまたはフラッシュメモリに記憶されていた車両ｃの車種名、ステップ３２０、３３０で選択を受け付けた車種名、またはステップ３４０、３５０で受け付けた車両の形態の情報に基づいて行う。
【００３２】
車種名を受け付けた場合は、車両形態情報テーブルから、当該車種名を含むエントリを抽出し、当該抽出したエントリに含まれる当該車種の全長、全幅、ドアの長さ、ドアの取り付け位置、ドアの最大開き角度、および当該車種についての他の詳細な形態情報に従った形態の車両の画像を生成する。
【００３３】
車両の形態の情報を受け付けた場合は、当該受け付けた全長、全幅、ドアの長さ、ドアの取り付け位置、ドアの最大開き角度等の情報に従った形態の車両の画像を生成する。
【００３４】
生成する車両の画像は、上記形態を有する車両を上方から見た画像である。また生成する車両の画像は、１）ドアを閉じている状態か、開いている状態か、２）車両ｃの実寸と同じ大きさに見える画像か、車両ｃの実寸よりやや大きく見える画像か、の２つの項目のそれぞれに対応して４種類生成される。実寸と同じ大きさに見えるとは、画像処理ユニット５が車載モニタ３に表示させる撮影画像の表示縮尺と、自車両の画像の表示縮尺とが同じであることをいう。また、実寸より大きく見えるとは、画像処理ユニット５が車載モニタ３に表示させる撮影画像の表示縮尺に比べて、自車両の画像の表示縮尺が大きいことをいう。また、「やや大きく」とは、例えば長さにして１０パーセント増程度をいう。
【００３５】
図４に、このようにして生成された４種類の画像が画像処理ユニット５のフラッシュメモリに記憶されるときの形式を模式的に示す。画像２１は、実寸と同じ大きさに見えるドアが閉じた自車両ｃの画像である。画像２２は、実寸と同じ大きさに見えるドアが開いた自車両ｃの画像である。画像２３は、実寸より大きく見えるドアが閉じた自車両ｃの画像である。画像２４は、実寸より大きく見えるドアが開いた自車両ｃの画像である。
【００３６】
生成されたこれら４種類の画像は、それぞれ他の画像と区別できるように、２つの値の組と関連づけられてフラッシュメモリに保存される。すなわち、それぞれの画像に関連づけられる２つの値を（Ｉ、Ｊ）とすると、実寸と同じ大きさに見える画像についてはＩ＝０であり、実寸よりやや大きく見える画像についてはＩ＝１である。また、ドアが閉じている画像についてはＪ＝０であり、ドアが開いている画像についてはＪ＝１である。
【００３７】
以上のような設定プログラムによって画像処理ユニット５は、自車両ｃの車種、車両の形態についての設定を受け付け、この受け付けた設定に基づいて車載モニタ３に表示させる自車両の画像を生成することができる。
【００３８】
また、画像処理ユニット５は、上記の設定プログラムによって特定された４つの車両ｃの画像のうち、実寸より大きい画像（すなわちＩ＝１と関連づけられた画像）と、実寸と同じ画像（すなわちＩ＝０と関連づけられた画像）のどちらを車載モニタ３に表示させるかを決定するための拡大設定プログラムを実行する。
【００３９】
この拡大設定プログラムは、ユーザによる操作スイッチ群６の所定の操作があると、画像処理ユニット５により実行される。そして、この実行により、画像処理ユニット５は、まず車両ｃの拡大表示をするか否かの入力画面の生成処理を行う。具体的には、車両ｃの拡大表示をするか否かを特定するための入力を設定者に促すための画面表示を、車載モニタ３に行わせる。そしてこの表示を行った後、この拡大表示の可否についての設定者による操作スイッチ群６を用いた入力を待つ。そして、上記した入力があると、入力されたデータを受け付ける。具体的には、上記した入力に従って、拡大表示を行うまたは行わない旨の情報を、画像処理ユニット５のフラッシュメモリ中に記憶させる。なお、車両周辺表示装置１の取り付け時には、フラッシュメモリ中には、拡大表示を行わない旨の情報がデフォルト値として記憶されている。
【００４０】
以上のような拡大設定プログラムの処理によって、画像処理ユニット５は、車両の拡大表示の可否についての設定を受け付け、この受け付けた設定に基づいて車載モニタ３に表示させる自車両の画像を特定することができる。
【００４１】
次に、本実施形態において画像処理ユニット５がＲＯＭから読み出して実行する車両周辺表示プログラムについて説明する。図５に、このプログラムのフローチャートを示す。画像処理ユニット５は、操作スイッチ群６に対するユーザの所定の操作に基づき、この車両周辺表示プログラムを読み出して実行する。
【００４２】
まず、ステップ５１０にて、設定情報をフラッシュメモリから読み込む。この設定情報は、車両周辺表示装置１の製造時にあらかじめフラッシュメモリに記憶されているか、あるいは上述した設定プログラムまたは拡大設定プログラムによってフラッシュメモリに記憶させたものである。この設定情報には、自車両ｃの画像データ、車両の拡大表示を行うか否かの設定が含まれている。
【００４３】
次にステップ５２０にて、シフト位置がバック（またはドライブレンジがＲ）であるか否かを判定する。ここで肯定と判断されると処理はステップ５３０に進み、一方否定と判断されると処理はステップ５２５に進む。なお、シフト位置は、シフト位置センサ１０からの信号により検出することができる。
【００４４】
ステップ５２５では、表示させるための画像データを車載モニタ３に出力していれば、その出力を終了する。これによって、車載モニタ３は他の画像、例えば車載モニタ３がカーナビゲーション装置なら地図画像等、を表示するようになる。ステップ５２５の後、処理はステップ５２０に戻る。
【００４５】
ステップ５３０では、画像取り込み装置７から出力された画像、すなわち車両ｃの周辺の画像を取得する。
【００４６】
次にステップ５４０では、画像取り込み装置７から入力された画像を鳥瞰図画像に変換して、その変換された画像データを車載モニタ３に出力する。この鳥瞰図画像への変換は、具体的には図６に示すように、地上の画像の位置データを地上ｇからの高さＨにあるカメラ位置Ｒからの焦点距離ｆにあるスクリーン平面Ｔに投影する変換の逆変換である。すなわち、鳥瞰図画像への変換は、カメラ２によって撮影した画像の、カメラ２を視点として投影した地上面座標系のデータへの座標変換である。この変換の技術は、例えば特開平１４−０８７１６０号公報、特開平１０−２１１８４９号公報に開示されている。
【００４７】
また、車載モニタ３に出力する画像には、カメラ２の視野の内から外に出た部分についても、その部分の位置を推定して含めるようにする。具体的には、ステップ１０３〜１２０の繰り返し処理において画像取り込み装置７から取得する時間的に連続した２つの鳥瞰図画像の間で一致する領域を抽出し、それに基づいて現在のカメラ１の視野から外れる移動領域を抽出する。そして、この一致する領域の鳥瞰図中における移動量だけ、鳥瞰図中のカメラ２の視野以外の部分の画像をずらし、その後移動領域の画像を描画する（合成画像を作成する）。更に、自車両及び視野角を示す逆Ｖ字状の線の描画を行う。
【００４８】
以上のステップ５４０の処理によって、図７の左側の図に示すような地上に引かれた駐車マス用ライン４１および車止め９４を含む画像データが画像取り込み装置７から入力された場合、その画像が図７右側の図に示すような車両ｃ及び逆Ｖ字形状４３を更に含む鳥瞰図に変換され、車載モニタ３に表示される。
【００４９】
次にステップ５５０で、自車両ｃの拡大表示を行うか否かを判定する。これは、ステップ５１０で読み込んだ設定のうち、車両の拡大表示を行うか否かの設定を用いて判定する。拡大表示を行う場合、処理はステップ５６０に進み、画像処理ユニット５のＲＡＭの所定の領域に変数Ｉの領域を確保し、その変数Ｉの値を１とする。拡大表示を行わない場合、処理はステップ５５５に進み、画像処理ユニット５のＲＡＭの所定の領域に変数Ｉの領域を確保し、その変数Ｉの値を０とする。
【００５０】
ステップ５５５、５６０の後、処理はステップ５７０に進み、車両ｃが駐車しているか否かを判定する。車両ｃが駐車しているか否かは、画像認識によって駐車マス用ライン４１の車両に対する相対位置を特定し、ステップ５１０で読み込んだ車両ｃの画像に基づいてその駐車マス用ライン４１内に自車両ｃの全体が入っているかを判定し、自車両ｃの全体が駐車マス用ライン４１内に入っていれば、自車両が駐車していると判定する。
【００５１】
また、車両ｃが駐車しているか否かは、画像処理ユニット５が図２に示さないイグニッション線からの信号が入力されるようになっており、この入力によって車両のキースイッチの位置がオフまたはＡＣＣになっているときに、車両ｃが駐車していると判定するようになっていてもよい。また更に、車両が駐車しているか否かは、シフト位置センサ１０からの信号が、車両のドライブレンジがＰにあることで判定してもよい。
【００５２】
車両が駐車している場合は、処理はステップ５８０に進み、画像処理ユニット５のＲＡＭの所定の領域に変数Ｊの領域を確保し、その変数Ｊの値を１とする。車両が駐車していない場合は、処理はステップ５７５に進み、画像処理ユニット５のＲＡＭの所定の領域に変数Ｊの領域を確保し、その変数Ｊの値を０とする。
【００５３】
ステップ５７５、５８０の後、処理はステップ５９０に進み、自車両ｃの画像を描画する。具体的には、ステップ５４０で車載モニタ３に出力した鳥瞰図に、この鳥瞰図として描画された車両周辺に対して車両ｃが存在する位置に車両ｃが重なるよう、車両ｃの画像を車載モニタ３に出力する。なお、表示する車両ｃの画像としては、図３のステップ３８０でフラッシュメモリに保存された４つの画像のうち、ステップ５５０〜５８０において特定された変数の組（Ｉ、Ｊ）の値に対応する画像を用いる。
【００５４】
図８に、車両ｃを車両ｃ周辺の撮影画像に重ねた画像の具体例を示す。この例においては、車両ｃは、２つの車止め９４を備えた駐車マス９５に駐車されようとしている。
【００５５】
そしてステップ５９０の後、処理はステップ５２０に戻る。
【００５６】
以上のような画像処理ユニット５および車両周辺表示プログラムの処理の、ステップ５４０および５９０の繰り返しによって、車両ｃがバックしている間は、車両周辺の画像に車両ｃ（すなわち自車両）の画像が重なることで合成された画像が車載モニタ３に表示される。そして、表示される車両ｃの画像は、設定プログラムによって受け付けた車両ｃの形態の設定に従ったものとなる。したがって撮影された車両ｃ周辺の画像と自車両ｃの画像とを車載モニタ３に表示させる画像処理ユニット５において、受け付けた設定に基づいて、表示させる自車両ｃの画像を変更可能とすることができる。
【００５７】
そして、自車両ｃの形態の設定としては、車種、全長、全幅、ドアの長さ、ドアの取り付け位置、ドアの最大開き角度、および当該車種についての他の詳細な形態情報があり、このような形態情報に基づいて生成された自車両の画像が表示されることで、車載モニタ３の表示において、自車両と車両周辺との位置関係が詳細になる。
【００５８】
また、自車両ｃの形態の設定としては、表示させる撮影画像の表示縮尺に比べて、自車両ｃの画像の表示縮尺を大きくするか否の情報を含んでいる。そして、ステップ５５０、５５５、５６０によって、この設定に基づいて、表示する自車両ｃの画像の大きさが特定され、ステップ５９０によってその特定された画像が表示される。
【００５９】
このようになっていることで、例えば駐車や車両ｃの取り回しに自信が無い等、ドライバーが運転に自信が無い場合等には、他の車両等の障害物に接触する恐れを低減するよう、表示装置に表示させる自車両の画像を実際よりも拡大することができる。
【００６０】
また、ステップ５７０、５７５、５８０の処理によって、画像処理ユニット５は、駐車時にはドアを開いた場合の自車両の画像を表示する。これによって、車両ｃの駐車時にはドアが開いた場合の車両ｃの画像が表示されるので、ドライバーは、ドアの開放スペースを一目で判断することができる。したがって、車両ｃのドライバーは、障害物に当たらないようドアの開き程度を調整したり、障害物にドアが当たらないような間隔で駐車を行ったりすることが容易となる。
【００６１】
なお、上記した実施形態においては、画像処理ユニット５が、設定プログラム、拡大設定プログラム、および車両周辺表示プログラムのステップ５５０、５５５、５６０、５７０、５７５、５８０を実行することにより、車両周辺の撮影画像および自車両の画像を表示装置に表示させる表示制御手段を実現する。
【００６２】
また、画像処理ユニット５が、車両周辺表示プログラムのステップ５９０を実行することにより、自車両の形態についての設定を受け付け、この受け付けた設定に基づいて表示装置に表示させる自車両の画像を特定する設定受付手段を構成する。
【００６３】
また、上記した実施形態では、車両ｃが駐車したときにドアを開いた自車両ｃの画像を表示するようになっているが、必ずしもこのようになっている必要はなく、例えば、車両ｃの乗員が操作スイッチ群６に対して所定の操作を行ったときに、ドアを開いた自車両ｃの画像を表示するようになっていてもよい。また、駐車時、および乗員の所定の操作時の両方においてドアを開いた自車両ｃの画像を表示するようになっていてもよい。
【００６４】
また、図３に示した設定プログラムのステップ３８０においては、ステップ３１０〜３７０までに受け付けた設定に基づいて自車両の画像を生成しているが、必ずしも画像の生成を行わなくともよい。例えば、画像処理ユニット５のＲＯＭに各車種毎の車両の画像データがあらかじめ保存されており、ステップ３３０で自車両ｃの車種が特定された場合、その特定された車種に対応する画像を、車載モニタ３に表示させる画像として特定するようになっていればよい。すなわち、設定に基づいて車載モニタ３に表示させる画像が特定されるようになっていれば足りる。
【００６５】
また、上記した実施形態において、専用の画像処理ユニット５として本発明を実現しているが、例えば車載の後方カメラから映像信号の入力を受けるカーナビゲーション装置の一機能として、画像処理ユニット５の上記した機能が実現されていてもよい。
【図面の簡単な説明】
【００６６】
【図１】本発明の実施形態における主要なシステム構成を示す図である。
【図２】画像処理ユニット５の当該車両ｃに搭載された装置との入出力関係を示すブロック図である。
【図３】設定プログラムのフローチャートである。
【図４】設定プログラムによって生成される車両ｃの画像の一例を示す図である。
【図５】車両周辺表示プログラムのフローチャートである。
【図６】図５のステップ５４０における鳥瞰図画像への変換を説明する図である。
【図７】図５のステップ５４０における鳥瞰図画像への変換前後の画像の一例を示す図である。
【図８】図５のステップ５９０の処理によって合成された画像の一例を示す図である。
【符号の説明】
【００６７】
１…車両周辺表示装置、２…カメラ、３…車載モニタ、５…画像処理ユニット、
６…操作スイッチ群、７…画像取り込み装置、１０…シフト位置センサ、
２１〜２４…自車両ｃの画像、４１…駐車マス用ライン、９４…車止め、
９５…駐車マス。
【図１】
0004679816.tif 000002
【図２】
0004679816.tif 000003
【図３】
0004679816.tif 000004
【図４】
0004679816.tif 000005
【図５】
0004679816.tif 000006
【図６】
0004679816.tif 000007
【図７】
0004679816.tif 000008
【図８】
0004679816.tif 000009